(57)【要約】【課題】  ＬＦ帯の信号を受信するために、コイルを受信用アンテナとして利用するアクティブタグが知られている。  コイル単体ではアンテナに必要なインダクタンスを満たさない場合には、アンテナは、複数のコイルを用いて実現される必要がある。  アンテナにおけるインダクタンスが、複数のコイルを用いて効果的に実現されているアクティブタグを提供することを目的とする。【解決手段】  アクティブタグに搭載されているアンテナは、複数のコイルが直列接続されて構成されている。そして、これらのコイルは、それぞれのコイル軸が互いに同じ向きになるように、そして、コイル軸の向きに対して垂直方向に並んで、回路基板上に配置されている。【選択図】図４
2012133517.tif 000002
【特許請求の範囲】
【請求項１】
複数のコイルが直列接続されてなるアンテナを備え、
前記複数のコイルは、それぞれのコイル軸が互いに同一直線上に並ぶことなく、互いに平行となるように配置されている
ことを特徴とするアクティブタグ
【請求項２】
前記複数のコイルのそれぞれは、ディスクリート部品である
ことを特徴とする請求項１記載のアクティブタグ。
【請求項３】
前記アクティブタグは、平板状であり、
回路基板を備え、
前記複数のコイルは、それぞれのコイル軸が前記回路基板の主表面と水平になるように、かつ、それぞれのコイル軸に対する直交方向に並ぶように、前記回路基板の表面上に配置されている
ことを特徴とする請求項２記載のアクティブタグ。
【請求項４】
前記複数のコイルのそれぞれは、第１端子と、第２端子と、当該第１端子と当該第２端子とに接続され当該第１端子側から当該第２端子側を見て第１方向に巻かれているソレノイドとからなり、
前記複数のコイルは、それぞれのコイルの第１端子が他のコイルの第２端子と接続される関係にあり、各コイルの配置が、それぞれのコイルの第１端子と第２端子の向く方向が同じ関係になるように並べられているものである
ことを特徴とする請求項３記載のアクティブタグ。
【請求項５】
前記複数のコイルのコイル軸の向きをＸ軸とした場合において、前記回路基板の主表面と水平であり、かつ、当該Ｘ軸と直交するＹ軸の向きにコイル軸を持つ複数のＹ軸向きコイルが直列接続してなるＹ軸向きアンテナをさらに備え、
前記複数のＹ軸向きコイルは、それぞれのコイル軸が互いに同一直線上に並ぶことなく、互いに平行となるように配置されている
ことを特徴とする請求項３記載のアクティブタグ。
【発明の詳細な説明】
【技術分野】
【０００１】
本発明は、アンテナを備えるアクティブタグに関する。
【背景技術】
【０００２】
アクティブタグとして、外部のタグリーダから出力されるＬＦ（Low Frequency）帯の質問信号を受信すると、受信した質問信号に対するＵＨＦ（Ultra High Frequency）帯の応答信号を、そのタグリーダに返信するものが知られている（例えば、特許文献１参照）。
【０００３】
このようなアクティブタグは、外部のタグリーダから送信されるＬＦ帯の質問信号を受けると、受けた質問信号における磁束の変化量に応じた起電力を発生させるコイルを内蔵しており、このコイルを質問信号の受信用アンテナとして利用している。
【先行技術文献】
【特許文献】
【０００４】
【特許文献１】特開２００６−７２７０６号公報
【発明の概要】
【発明が解決しようとする課題】
【０００５】
ところで、アンテナとしてコイルを利用するアクティブタグを薄型化する場合には、内蔵するコイルを小型化する必要がある。
一般に、コイルを小型化すると、インダクタンスが小さくなる傾向がある。よって、小型化されたコイル単体ではアンテナに必要なインダクタンスを満たさない場合がある。
【０００６】
このような場合には、アンテナとして、小型化されたコイルを複数用いて必要なインダクタンスを満たす必要がある。
そこで本発明は、係る問題に鑑みてなされたものであり、アンテナにおけるインダクタンスが、複数のコイルを用いて効果的に実現されているアクティブタグを提供することを目的とする。
【課題を解決するための手段】
【０００７】
上記課題を解決するために本発明に係るアクティブタグは、複数のコイルが直列接続されてなるアンテナを備え、前記複数のコイルは、それぞれのコイル軸が互いに同一直線上に並ぶことなく、互いに平行となるように配置されていることを特徴とする。
【０００８】
ここで、コイル軸とは、コイルに電流が流れることによって生成される磁気双極子の磁気双極子モーメントベクトルを含む直線のことを言う。
また、前記複数のコイルのそれぞれは、ディスクリート部品であるとしても構わない。
【０００９】
また、前記アクティブタグは、平板状であり、回路基板を備え、前記複数のコイルは、それぞれのコイル軸が前記回路基板の主表面と水平になるように、かつ、それぞれのコイル軸に対する直交方向に並ぶように、前記回路基板の表面上に配置されているとしても構わない。
【００１０】
また、前記複数のコイルのそれぞれは、第１端子と、第２端子と、当該第１端子と当該第２端子とに接続され当該第１端子側から当該第２端子側を見て第１方向に巻かれているソレノイドとからなり、前記複数のコイルは、それぞれのコイルの第１端子が他のコイルの第２端子と接続される関係にあり、各コイルの配置が、それぞれのコイルの第１端子と第２端子の向く方向が同じ関係になるように並べられているものであるとしても構わない。
【００１１】
また、前記複数のコイルのコイル軸の向きをＸ軸とした場合において、前記回路基板の主表面と水平であり、かつ、当該Ｘ軸と直交するＹ軸の向きにコイル軸を持つ複数のＹ軸向きコイルが直列接続してなるＹ軸向きアンテナをさらに備え、前記複数のＹ軸向きコイルは、それぞれのコイル軸が互いに同一直線上に並ぶことなく、互いに平行となるように配置されているとしても構わない。
【発明の効果】
【００１２】
上述の構成を備える本発明に係るアクティブタグは、複数のコイルのうちのどの２つのコイルの組み合わせにおいても、それら２つのコイルのコイル軸は互いに同一直線上にならない。
【００１３】
一般に、ｎ個のコイルが直列接続されることで得られる総インダクタンスＬtotは、コイルｋの自己インダクタンスをＬk、コイルｌとコイルｍとの相互インダクタンスをＭlmとすると、
［数１］
Ｌtot  ＝  Ｌ1＋Ｌ2＋…＋Ｌn−（Ｍ12＋Ｍ13＋…＋M1n＋…＋Ｍ23＋Ｍ24＋…＋Ｍn-1n）
で表される。
【００１４】
すなわち、総インダクタンスＬtotは、コイルそれぞれの自己インダクタンスＬkの総和から、コイル間それぞれの相互インダクタンスＭlmの総和を減じた値となる。
従って、コイルそれぞれの自己インダクタンスＬkの総和が一定であれば、コイル間それぞれの相互インダクタンスＭlmの総和が少ない方が、総インダクタンスＬtotは大きくなる。
【００１５】
また、一般に、コイルに流れる電流によって発生する磁界の磁束密度は、コイル軸上において極大となる。よって、２つの互いに異なるコイル間の相互インダクタンスは、互いにコイル軸が同一直線上となる場合よりも、互いにコイル軸が同一直線上とならない場合の方が抑制される。
【００１６】
よって、本発明に係るアクティブタグは、２つの互いに異なるコイル間の相互インダクタンスの総和が抑制されることにより、アンテナにおけるインダクタンスが、複数のコイルを用いて効果的に実現されることとなる。
【図面の簡単な説明】
【００１７】
【図１】アクティブタグ１００の回路図
【図２】コイルＡ１６１の構成図
【図３】アクティブタグ１００の斜視図
【図４】回路基板３００の主表面を示す平面図
【図５】回路基板３００の側面図
【図６】回路基板３００の主表面のうちの一部分の平面図
【図７】アクティブタグ７００の回路図
【図８】回路基板８００の平面図
【図９】アクティブタグ９００の回路図
【図１０】コイルＬ９６２の構成図
【図１１】回路基板１１００の平面図
【発明を実施するための形態】
【００１８】
＜実施の形態１＞
＜概要＞
以下、本発明に係るアクティブタグの一実施形態として、内部に電池を備え、外部の読取装置から送信されるＬＦ帯の質問信号を受信すると、その質問信号に対応するＵＨＦ帯の応答信号を外部に送信するアクティブタグについて説明する。
【００１９】
このアクティブタグは、名刺サイズのカード型をしており、ＬＦ帯の質問信号を受信するための、５つのコイルが直列接続されてなる指向性のあるアンテナを備えている。
これら５つのコイルは、コイル軸が互いに同じ向きになるように、そして、コイル軸の向きに対して垂直方向に並ぶように、回路基板上に配置されている。
【００２０】
以下、本実施の形態１に係るアクティブタグの構成について、図面を参照しながら説明する。
＜構成＞
図１は、アクティブタグ１００の回路図である。
【００２１】
同図に示す通り、アクティブタグ１００は、ＬＦ無線回路１１０とＵＨＦ無線回路１２０と制御回路１３０と電池１４０とから構成されている。
ＬＦ無線回路１１０は、制御回路１３０に接続され、外部の読取装置１９０から送信されるＬＦ帯の信号を受信して復調し、復調された信号を制御回路１３０に出力する機能を有する。
【００２２】
このＬＦ無線回路１１０は、さらに、同調回路１５０と増幅回路１７０と復調回路１８０とから構成されている。
同調回路１５０は、外部の読取装置１９０から送信されるＬＦ帯の信号の周波数と同じ周波数の共振周波数を持つ同調回路であって、増幅回路１７０に接続される。
【００２３】
この同調回路１５０は、コイルＡ１６１とコイルＢ１６２とコイルＣ１６３とコイルＤ１６４とコイルＥ１６５とが直列接続されることでなるアンテナ１６０と、コンデンサ１５５とが互いに並列接続されることで構成される。
【００２４】
これらコイルＡ１６１〜コイルＥ１６５のそれぞれは、互いに同一構造のコイルであって、縦×横×高さが、例えば１．８ｍｍ×２．５ｍｍ×１．８ｍｍとなる直方体の形状をしている。
【００２５】
増幅回路１７０は、同調回路１５０と復調回路１８０とに接続され、同調回路１５０から入力される信号を増幅して復調回路１８０に出力する機能を有する。
復調回路１８０は、増幅回路１７０と制御回路１３０とに接続され、増幅回路１７０から入力される信号を復調して制御回路１３０に出力する機能を有する。
【００２６】
制御回路１３０は、ＬＦ無線回路１１０とＵＨＦ無線回路１２０とに接続され、図示しないＣＰＵ（Central Processing Unit）と図示しないメモリとからなり、ＣＰＵがメモリに記憶されているプログラムを実行することで、以下の機能を実現する。
【００２７】
機能：復調回路１８０から信号を入力されると、その信号が予め定められた質問信号であるか否かを調べ、その信号が予め定められた質問信号である場合に、その質問信号に対する応答信号を生成してＵＨＦ無線回路１２０へ出力する機能。
【００２８】
ＵＨＦ無線回路１２０は、制御回路１３０に接続され、制御回路１３０から入力される信号を、ＵＨＦ帯の信号として外部に送信する機能を有する。
電池１４０は、ＵＨＦ無線回路１２０と制御回路１３０と増幅回路１７０と復調回路１８０とに電力を供給する電池である。
【００２９】
図２は、コイルＡ１６１の構造を示す構成図である。
コイルＡ１６１〜コイルＥ１６５のそれぞれは、互いに同一構造のコイルであるため、ここでは、コイルＡ１６１について説明する。
【００３０】
同図に示すように、コイルＡ１６１は、端子ａ２２０と、端子ｂ２３０と、端子ａ２２０と端子ｂ２３０とに接続されたソレノイド２１０とから構成されている。
ソレノイド２１０は、コイルＡ１６１を構成する積層基板の各層に形成された渦巻き状の配線が互いに直列に接続されることによって形成される。ここで、ソレノイド２１０における配線の巻き方向は、端子ａ２２０側から端子ｂ２３０側に向かって右巻きとなっている。
【００３１】
ソレノイド２１０は、その中心軸が端子ａ２２０と端子ｂ２３０とを結ぶ線分と平行となるように配置されている。従って、コイルＡ１６１のコイル軸の向きは、端子ａ２２０と端子ｂ２３０とを結ぶ線分と平行となっている。
【００３２】
図３は、アクティブタグ１００の斜視図である。
同図に示すように、アクティブタグ１００は、外形が名刺サイズのカード型であって、内部に回路基板３００と電池１４０とを含んでいる。
【００３３】
このアクティブタグ１００は、手に持たず携行しやすくするのはもちろん、手に持った場合の扱いやすさにも配慮して、日本で使われる所謂名刺カードのサイズに近しいように、ＩＳＯ／ＩＣＥ７８１０規格のＩＤ１に準拠するサイズに形成されている。
【００３４】
回路基板３００は、縦×横が、例えば４５ｍｍ×４０ｍｍとなる回路基板であって、同調回路１５０、増幅回路１７０、復調回路１８０、ＵＨＦ無線回路１２０、制御回路１３０を構成する電子部品群を装着され、これら電子部品間を電気的に接続している。
【００３５】
図４は、回路基板３００の主表面を示す平面図である。同図には、回路基板３００上に装着されているコイルＡ１６１〜コイルＥ１６５の位置と、これらコイル間の結線状況とがわかるように、コイルＡ１６１〜コイルＥ１６５と、それらを結線する配線とが描かれている。
【００３６】
図５は、回路基板３００の側面図である。同図には、回路基板上に装着されているコイルＡ１６１〜コイルＥ１６５の位置がわかるように、コイルＡ１６１〜コイルＥ１６５が描かれている。
【００３７】
図４、図５に示されるように、コイルＡ１６１〜コイルＥ１６５は、それぞれのコイル軸の向きが互いに揃うように、それぞれのコイルの端子ａが互いに同じ側となるように、コイル軸に垂直方向に一列に並べられて、回路基板３００の主表面上に配置されている。
【００３８】
また、回路基板３００の主表面上に形成される配線によって、コイルＡ１６１の端子ｂとコイルＢ１６２の端子ａとが結線され、コイルＢ１６２の端子ｂとコイルＣ１６３の端子ａとが結線され、コイルＣ１６３の端子ｂとコイルＤ１６４の端子ａとが結線され、コイルＤ１６４の端子ｂとコイルＥ１６５の端子ａとが結線されている。
【００３９】
図６は、回路基板３００の主表面のうち、コイルＡ１６１〜コイルＥ１６５の周辺部分の平面図である。
同図に示す通り、コイルＡ１６１〜コイルＥ１６５は、それぞれのコイル間の幅が等間隔で、一列に並べられて配置されている。
【００４０】
上述の構成を備えるアクティブタグ１００は、以下の特徴を有する。
＜特徴＞
コイルＡ１６１〜コイルＥ１６５は、回路基板３００上に、互いに隣接して一列に並べられて配置されているため、回路基板３００の小型化に寄与し、従って、アクティブタグ１００の小型化に寄与している。
【００４１】
コイルＡ１６１〜コイルＥ１６５は、それぞれのコイル軸の向きが互いに同一向きとなるように配置され、かつ、それぞれのソレノイドの巻き方向が互いに同一方向となるように直列接続されている。従って、これらのコイルが電磁波を受ける場合に、各コイルに発生する起電力が、互いに加算されることとなる。
【００４２】
アンテナ１６０は、コイルＡ１６１〜コイルＥ１６５のコイル軸の向きと、受信対象の電磁波における最も磁束密度の変化量が大きい向きとが互いに揃っている場合に、最も効率よく受信対象の電磁波を受信する。すなわち、アンテナ１６０は指向性を有している。
【００４３】
コイルＡ１６１〜コイルＥ１６５は、互いにコイル軸が同一直線上に並ぶことがないように配置されている。
一般に、コイルに流れる電流によって発生する磁界の磁束密度は、そのコイルのコイル軸上において極大となる。
【００４４】
従って、これらコイル間の相互インダクタンスは、これらのコイルの一部又は全部が、互いにコイル軸が同一直線上となるように配置されている場合に比べて抑制されている。
＜実施の形態２＞
＜概要＞
以下、本発明に係るアクティブタグの一実施形態として、実施の形態１に係るアクティブタグ１００の一部が変形されているアクティブタグ７００について説明する。
【００４５】
実施の形態１に係るアクティブタグ１００は、指向性のあるアンテナを１つ備えている場合の例であったが、実施の形態２に係るアクティブタグ７００は、指向性のあるアンテナを２つ備えている場合の例となっている。
【００４６】
そして、これら２つのアンテナの指向性の向きは、それぞれ互いに直交する関係になっている。
以下、本実施の形態２に係るアクティブタグ７００の構成について、実施の形態１に係るアクティブタグ１００との相違点を中心に、図面を参照しながら説明する。
【００４７】
＜構成＞
図７は、アクティブタグ７００の回路図である。
同図に示す通り、アクティブタグ７００は、アクティブタグ１００（図１参照）に対して、ＬＦ無線回路１１０にＹ軸向き同調回路７５０とセレクタ７２０とが追加され、増幅回路１７０が増幅回路７７０に変形され、制御回路１３０が制御回路７３０に変形されたものである。また、これらの追加、変形に伴って、ＬＦ無線回路１１０は、ＬＦ無線回路７１０に変形され、実施の形態１に係る回路基板３００は、回路基板８００（図７には図示されていない。）に変形されている。
【００４８】
Ｙ軸向き同調回路７５０は、同調回路１５０と同様に、外部の読取装置１９０から送信されるＬＦ帯の信号の周波数と同じ共振周波数を持つ同調回路であって、セレクタ７２０に接続される。
【００４９】
このＹ軸向き同調回路７５０は、コイルＶ７６１とコイルＷ７６２とコイルＸ７６３とコイルＹ７６４とコイルＺ７６５とが直列接続されることでなるＹ軸向きアンテナ７６０と、コンデンサ７５５とが互いに並列接続されることで構成される。
【００５０】
これらコイルＶ７６１〜コイルＺ７６５のそれぞれは、コイルＡ１６１〜コイルＥ１６５のそれぞれと同一構造のコイルである。また、これらコイルＶ７６１〜コイルＺ７６５は、コイル軸の向きが、コイルＡ１６１〜コイルＥ１６５のコイル軸の向きに対して垂直となるように配置されている（詳細については、後述する）。
【００５１】
ここで、Ｙ軸向き同調回路７５０におけるインダクタンスは、例えば４．６８ｍＨであり、Ｙ軸向き同調回路７５０におけるキャパシタンスは、例えば２９６．７ｐＦであり、Ｙ軸向き同調回路７５０における抵抗は、例えば１３５Ωである。
【００５２】
セレクタ７２０は、同調回路１５０とＹ軸向き同調回路７５０と増幅回路１７０とに接続され、以下の機能を有する。
機能：制御回路７３０から切替信号（後述）を受信し、受信した切替信号が論理値“１”を示す場合に、同調回路１５０と増幅回路１７０とを電気的に接続している状態とし、受信した切替信号が論理値“０”を示す場合に、Ｙ軸向き同調回路７５０と増幅回路１７０とを電気的に接続している状態とする機能。
【００５３】
従って、増幅回路１７０は、セレクタ７２０が同調回路１５０と増幅回路１７０とを電気的に接続している状態の場合に、同調回路１５０から入力される信号を増幅し、セレクタ７２０が同調回路１５０と増幅回路１７０とを電気的に接続している状態の場合に、Ｙ軸向き同調回路７５０から入力される信号を増幅することとなる。
【００５４】
増幅回路７７０は、実施の形態１における増幅回路１７０の機能に加え、以下の機能を有する。
機能：セレクタ７２０から入力される信号からその信号の受信信号強度を測定し、制御回路７３０に出力する機能。
【００５５】
制御回路７３０は、実施の形態１における制御回路１３０の機能に加え、以下の３つの機能を有する。
機能１：セレクタ７２０に、セレクタ７２０の接続状態を指定する切替信号を、所定の周期で論理値“１”と論理値“０”とを交互に繰り返して出力する（以下、この動作を論理値変更動作と呼ぶ。）機能。
【００５６】
機能２：増幅回路７７０から入力される受信信号強度が予め定められた所定の閾値を超えているか否かを判定する機能。
機能３：論理値変更動作の実行中に受信信号強度が所定の閾値を超えていると判定した場合に、論理値変更動作を中断し、所定の閾値を超えていた期間にセレクタ７２０に出力していた切替信号の論理値を新たな切替信号の論理値として、切替信号を、セレクタ７２０に上記機能１での所定の時間よりは短い所定期間継続的に出力し続ける機能。
【００５７】
図８は、回路基板８００の主表面を示す平面図である。同図には、回路基板８００上に装着されているコイルＡ１６１〜コイルＥ１６５、コイルＶ７６１〜コイルＺ７６５の位置と、これらコイル間の結線状況とがわかるように、コイルＡ１６１〜コイルＥ１６５、コイルＶ７６１〜コイルＺ７６５と、それらを結線する配線とが描かれている。
【００５８】
回路基板８００は、回路基板３００と同サイズの、例えば縦×横が４５ｍｍ×４０ｍｍとなる回路基板であって、同調回路１５０、Ｙ軸向き同調回路７５０、セレクタ７２０、増幅回路７７０、復調回路１８０、ＵＨＦ無線回路１２０、制御回路１３０を構成する電子部品群を装着され、これら電子部品間を電気的に接続している。
【００５９】
コイルＡ１６１〜コイルＥ１６５は、実施の形態１における回路基板３００への配置と同様の位置と同様の接続形態にて回路基板８００へ配置されている。
コイルＶ７６１〜コイルＺ７６５は、それぞれのコイル軸の向きが互いに揃うように、それぞれのコイルの端子ａが互いに同じ側となるように、それぞれのコイル軸の向きがコイルＡ１６１〜コイルＥ１６５のコイル軸の向きに対して垂直となるように、コイル軸に垂直方向に一列に並べられて、回路基板８００の主表面上に配置されている。
【００６０】
また、回路基板８００の主表面上に形成される配線によって、コイルＶ７６１の端子ｂとコイルＷ７６２の端子ａとが結線され、コイルＷ７６２の端子ｂとコイルＸ７６３の端子ａとが結線され、コイルＸ７６３の端子ｂとコイルＹ７６４の端子ａとが結線され、コイルＹ７６４の端子ｂとコイルＺ７６５の端子ａとが結線されている。
【００６１】
上述の構成を備えるアクティブタグ７００は、実施の形態１に係るアクティブタグ１００の特徴に加えて、以下の特徴を有する。
＜特徴＞
コイルＶ７６１〜コイルＺ７６５は、回路基板８００上に、互いに隣接して一列に並べられて配置されているため、回路基板８００の小型化に寄与し、従って、アクティブタグ７００の小型化に寄与している。
【００６２】
コイルＶ７６１〜コイルＺ７６５は、それぞれのコイル軸の向きが互いに同一向きとなるように配置され、かつ、それぞれのソレノイドの巻き方向が互いに同一方向となるように直列接続されている。従って、これらのコイルが電磁波を受ける場合に、各コイルに発生する起電力が、互いに加算されることとなる。
【００６３】
アンテナ７６０は、コイルＶ７６１〜コイルＺ７６５のコイル軸の向きと、受信対象の電磁波における最も磁束密度の変化量が大きい向きとが互いに揃っている場合に、最も効率よく受信対象の電磁波を受信する。すなわち、アンテナ７６０は指向性を有している。
【００６４】
コイルＶ７６１〜コイルＺ７６５は、互いにコイル軸が同一直線上に並ぶことがないように配置されている。従って、これらコイル間の相互インダクタンスは、これらのコイルの一部又は全部が、互いにコイル軸が同一直線上となるように配置されている場合に比べて抑制されている。
【００６５】
コイルＡ１６１〜コイルＥ１６５からなるアンテナ１６０の指向性の向きと、コイルＶ７６１〜コイルＺ７６５からなるアンテナ７６０の指向性の向きとが互いに直交している。従って、アクティブタグ７００は、読取装置１９０から出力されるＬＦ帯の質問信号に対して、受信感度において互いに直交する２つの指向性を持つ。
【００６６】
２つの指向性を持つアンテナのうち、いずれか一方アンテナを用いて受信した信号の受信信号強度が所定の閾値よりも大きい場合に、そのアンテナを用いてその信号を所定期間受信することとなる。従って、受信対象の信号に対して、より適した指向性を持つ側のアンテナを用いて、その受信対象の信号を所定期間受信することとなる。
＜実施の形態３＞
＜概要＞
以下、本発明に係るアクティブタグの一実施形態として、実施の形態１に係るアクティブタグ１００の一部が変形されている変形アクティブタグについて説明する。
【００６７】
実施の形態１に係るアクティブタグ１００は、互いに同一構成のコイルＡ１６１〜コイルＥ１６５からなるアンテナ１６０を備える場合の例であったが、実施の形態３に係る変形アクティブタグは、互いにソレノイドの巻き向きが逆となる２種類のコイルからなる変形アンテナを備える場合の例となっている。
【００６８】
以下、本実施の形態３に係る変形アクティブタグの構成について、実施の形態１に係るアクティブタグ１００との相違点を中心に、図面を参照しながら説明する。
＜構成＞
図９は、アクティブタグ９００の回路図である。
【００６９】
同図に示す通り、アクティブタグ９００は、実施の形態１に係るアクティブタグ１００（図１参照）に対して、コイルＢ１６２がコイルＬ９６２に変形され、コイルＤ１６４がコイルＭ９６４に変形されたものである。また、この変型に伴って、アンテナ１６０がアンテナ９６０に変形され、同調回路１５０が同調回路９５０に変形され、ＬＦ無線回路１１０がＬＦ無線回路９１０に変形され、回路基板３００が回路基板１１００（図９には図示されていない。）に変形されている。
【００７０】
ここで、コイルＬ９６２とコイルＭ９６４とは、互いに同一構造のコイルである。
また、コイルＬ９６２とコイルＡ１６１とは、ソレノイドの巻き向きが互いに逆となっている以外は、互いに同様の構成をしている。
【００７１】
図１０は、コイルＬ９６２の構造を示す構成図である。
同図に示すように、コイルＬ９６２は、端子ｊ１０２０と、端子ｋ１０３０と、端子ｊ１０２０と端子ｋ１０３０とに接続されたソレノイド１０１０とから構成されている。
【００７２】
ソレノイド１０１０は、コイルＬ９６２を構成する積層基板の各層に形成された渦巻き状の配線が互いに直列に接続されることによって形成される。ここで、ソレノイド１０１０における配線の巻き方向は、端子ｊ１０２０側から端子ｋ１０３０側に向かって左巻きとなっている。
【００７３】
図１１は、アクティブタグ９００を構成する回路基板１１００の主表面を示す平面図である。
回路基板１１００は、実施の形態１に係る回路基板３００と同サイズの縦×横が、例えば４５ｍｍ×４０ｍｍとなる回路基板であって、同調回路９５０、増幅回路１７０、復調回路１８０、ＵＨＦ無線回路１２０、制御回路１３０を構成する電子部品群を装着され、これら電子部品間を電気的に接続している。
【００７４】
コイルＡ１６１とコイルＬ９６２とコイルＣ１６３とコイルＭ９６４とコイルＥ１６５とは、それぞれのコイル軸の向きが互いに揃うように、それぞれのコイルの端子ａ又は端子ｋが互いに同じ側となるように、コイル軸に垂直方向に一列に並べられて、回路基板１１００の主表面上に配置されている。
【００７５】
また、回路基板１１００の主表面上に形成される配線によって、コイルＡ１６１の端子ｂとコイルＬ９６２の端子ｊとが結線され、コイルＬ９６２の端子ｋとコイルＣ１６３の端子ａとが結線され、コイルＣ１６３の端子ｂとコイルＭ９６４の端子ｊとが結線され、コイルＭ７６４の端子ｋとコイルＥ１６５の端子ａとが結線されている。
【００７６】
コイルＡ１６１とコイルＬ９６２とコイルＣ１６３とコイルＭ９６４とコイルＥ１６５とが上述の向きと順番とで直列接続されることで、これらのコイルよりなるアンテナ９６０は、実施の形態１に係るアンテナ１６０と同様のアンテナ特性を有している。
【００７７】
上述の構成を備えるアクティブタグ９００は、実施の形態１に係るアクティブタグ１００と同様の特徴を有する。
＜補足＞
以上、本発明に係るアクティブタグの一実施形態として、実施の形態１、実施の形態２、実施の形態３において、３つのアクティブタグの例について説明したが、以下のように変形することも可能であり、本発明は上述した実施の形態１、実施の形態２、実施の形態３で示した通りのアクティブタグに限られないことはもちろんである。
（１）実施の形態１において、アクティブタグ１００の形状は、名刺サイズのカード型である場合を例として説明したが、アクティブタグ１００を利用するユーザが携行して持ち運ぶことができる形状であれば、必ずしも名刺サイズのカード型である必要はなく、例えばペン型であっても構わない。
（２）実施の形態１において、アンテナ１６０は、５つのコイルが直列接続されることで形成される場合を例として説明したが、複数のコイルが直列接続されて形成されていれば、必ずしも直列接続されるコイルの数は５つである必要はなく、例えば４つのコイルが直列接続されていることで形成されていても構わない。
（３）実施の形態１において、コイルＡ１６１〜コイルＥ１６５は、コイル軸に垂直方向に一列に並べられている場合を例として説明したが、それぞれのコイル軸が互いに同一直線上に並ぶことなく、互いに平行となるように配置されていれば、必ずしもコイル軸に垂直方向に一列に並べられている必要はなく、例えば、コイル軸に対して４５度方向に一列に並べられていても構わないし、さらには、一列に並べられていなくても構わない。
（４）実施の形態１において、コイルＡ１６１〜コイルＥ１６５のそれぞれは、互いに同一構造のコイルである場合を例として説明したが、同調回路１５０が外部の読取装置１９０から送信されるＬＦ帯の信号の周波数と同じ周波数の共振周波数を持つことができれば、必ずしも互いに同一構造のコイルである必要はなく、例えばコイルＥ１６５が他のコイルのそれぞれと互いに異なる構造であっても構わない。
（５）実施の形態１において、ソレノイド２１０は、コイルＡ１６１を構成する積層基板の各層に形成された渦巻き状の配線が互いに直列に接続されることによって形成される場合を例として説明したが、所望のインダクタンスを実現することができれば、必ずしもコイルＡ１６１を構成する積層基板の各層に形成された渦巻き状の配線が互いに直列に接続されることによって形成される必要はなく、例えば、円筒状の鉄芯に銅配線が巻きつけられることによって形成されていても構わない。
（６）実施の形態１において、ソレノイド２１０は、その中心軸が端子ａ２２０と端子ｂ２３０とを結ぶ線分と平行となるように配置されている場合を例として説明したが、ソレノイド２１０の中心軸の向きが、端子ａ２２０と端子ｂ２３０とを結ぶ線分の向きに対して特定されるように配置されていれば、必ずしもソレノイド２１０の中心軸が端子ａ２２０と端子ｂ２３０とを結ぶ線分と平行となるように配置されている必要はなく、例えば、ソレノイド２１０の中心軸の向きが、端子ａ２２０と端子ｂ２３０とを結ぶ線分の向きに対して、水平角が４５度で仰角が４５度となるように配置されていても構わない。
（７）実施の形態２において、アンテナ１６０の指向性の向きとＹ軸向きアンテナ７６０の指向性の向きとは、互いに直交する場合を例として説明したが、互いに平行でなければ必ずしも互いに直交する必要はなく、例えば、互いに４５度となる角度となっていても構わない。
【００７８】
但し、アンテナ１６０の指向性の向きとＹ軸向きアンテナ７６０の指向性の向きとは、互いに直交する場合が望ましい。
なぜなら、アンテナ１６０の指向性の向きとＹ軸向きアンテナ７６０の指向性の向きとが互いに直交する場合は、アンテナ１６０によって受信される電磁波の成分とＹ軸向きアンテナ７６０によって受信される電磁波の成分とが互いに直交する関係となるからである。
（８）実施の形態２において、アクティブタグ７００は、アンテナ１６０とＹ軸向きアンテナ７６０との２つのアンテナを備える場合を例として説明したが、アンテナの数は必ずしも２つである必要はなく、例えば、アンテナ１６０の指向性の向きとＹ軸向きアンテナ７６０の指向性の向きとの双方に垂直な指向性の向きを有するＺ軸向きアンテナをさらに備える構成であっても構わない。
（９）以下、さらに本発明の一実施形態に係るアクティブタグの構成及びその変形例と各効果について説明する。
【００７９】
（ａ）本発明の一実施形態に係るアクティブタグは、複数のコイルが直列接続されてなるアンテナを備え、前記複数のコイルは、それぞれのコイル軸が互いに同一直線上に並ぶことなく、互いに平行となるように配置されていることを特徴とする。
【００８０】
上述の構成を備える本実施の形態に係るアクティブタグは、複数のコイルのうちのどの２つのコイルの組み合わせにおいても、それら２つのコイルのコイル軸は互いに同一直線上にならない。
【００８１】
よって、このアクティブタグは、２つの互いに異なるコイル間の相互インダクタンスの総和が抑制されることにより、アンテナにおけるインダクタンスが、複数のコイルを用いて効果的に実現されることとなる。
【００８２】
（ｂ）また、前記アクティブタグは、前記複数のコイルのそれぞれは、ディスクリート部品であるとしてもよい。
ここで、コイルがディスクリート部品であるとは、コイルが、所定のインダクタンスを有する、１つのパッケージングされた電子部品であることを言う。
【００８３】
このような構成にすることによって、各コイルはパッケージングされた電子部品として取り扱われることとなる。よって、アクティブタグの組立工程等における各コイルの取り扱いが容易なものとなる。
【００８４】
（ｃ）また、前記アクティブタグは、平板状であり、回路基板を備え、前記複数のコイルは、それぞれのコイル軸が前記回路基板の主表面と水平になるように、かつ、それぞれのコイル軸に対する直交方向に並ぶように、前記回路基板の表面上に配置されているとしてもよい。
【００８５】
このような構成にすることによって、複数のコイルは、回路基板上に並べられて配置されることとなるため、回路基板上におけるこれらのコイルの配置領域をコンパクトなものとすることができる。
【００８６】
よって、このアクティブタグは、主表面が大きくなってしまうことが抑制されている回路基板を備えることとなる。
（ｄ）また、前記アクティブタグは、前記複数のコイルのそれぞれは、第１端子と、第２端子と、当該第１端子と当該第２端子とに接続され当該第１端子側から当該第２端子側を見て第１方向に巻かれているソレノイドとからなり、前記複数のコイルは、それぞれのコイルの第１端子が他のコイルの第２端子と接続される関係にあり、各コイルの配置が、それぞれのコイルの第１端子と第２端子の向く方向が同じ関係になるように並べられているものであるとしてもよい。
【００８７】
このような構成にすることによって、複数のコイルからなるアンテナが電磁波を受ける場合に、各コイルに発生する起電力が、互いに正の方向に加算されることとなる。
よって、このアクティブタグは、電磁波を受ける場合に、効率よく起電力を発生することができるアンテナを備えることとなる。
【００８８】
（ｅ）また、前記アクティブタグは、前記複数のコイルのコイル軸の向きをＸ軸とした場合において、前記回路基板の主表面と水平であり、かつ、当該Ｘ軸と直交するＹ軸の向きにコイル軸を持つ複数のＹ軸向きコイルが直列接続してなるＹ軸向きアンテナをさらに備え、前記複数のＹ軸向きコイルは、それぞれのコイル軸が互いに同一直線上に並ぶことなく、互いに平行となるように配置されているとしてもよい。
【００８９】
このような構成にすることによって、このアクティブタグは、指向性の向きが互いに直交している２種類のアンテナを備えることとなる。
【符号の説明】
【００９０】
１００  アクティブタグ
１１０  ＬＦ無線回路
１２０  ＵＨＦ無線回路
１３０  制御回路
１４０  電池
１５０  同調回路
１５５  コンデンサ
１６０  アンテナ
１６１  コイルＡ
１６２  コイルＢ
１６３  コイルＣ
１６４  コイルＤ
１６５  コイルＥ
１７０  増幅回路
１８０  復調回路
１９０  読取装置
２１０  ソレノイド
３００  回路基板
７６０  Ｙ軸向きアンテナ
７６１  コイルＶ
７６２  コイルＷ
７６３  コイルＸ
７６４  コイルＹ
７６５  コイルＺ
【図１】
2012133517.tif 000003
【図２】
2012133517.tif 000004
【図３】
2012133517.tif 000005
【図４】
2012133517.tif 000006
【図５】
2012133517.tif 000007
【図６】
2012133517.tif 000008
【図７】
2012133517.tif 000009
【図８】
2012133517.tif 000010
【図９】
2012133517.tif 000011
【図１０】
2012133517.tif 000012
【図１１】
2012133517.tif 000013